(57)【特許請求の範囲】
【請求項１】
ユーザ端末と、生産者端末と、前記ユーザ端末および前記生産者端末とネットワークを介して無線通信接続される管理サーバであって、
生産者情報を生産者情報記憶部から取得し、取得した前記生産者情報に含まれるウイスキー情報から樽年数と熟成度とを抽出し、抽出した前記熟成度と、前記熟成度を前記樽年数で除算して得る加工係数と、所定の単位価格および追加価格とに基づいて価格を算出する価格算出部と、
前記ユーザ端末から希望データを含むユーザ情報を取得し、前記生産者端末からウイスキー情報を含む生産者情報を取得し、所定の数の生産者を評価スコアの高い順に絞り込み、絞り込んだ前記生産者についての前記ウイスキー情報を取得し、前記希望データの希望品種と同一の品種であるウイスキーについてリストを抽出し、前記希望データを構成する項目について条件が一致する項目を有する個別データを前記リストから選定する検索部と、を有し、
前記ウイスキーは、発振部とシリアルナンバー表示タグとを有するウイスキー樽の内部に貯蔵され、
前記発振部は、前記発振部と無線通信接続されているリモコン装置から送信された電波振動の発生指令を受信することで、前記電波振動を前記ウイスキー樽の内部に発生させ、
前記電波振動は、前記ウイスキーの水分子の構造に変化を起こすことによって前記ウイスキーの熟成を促進させる、
管理サーバ。
【請求項２】
請求項１に記載の管理サーバにおいて、
前記検索部によって選定された前記個別データを取得し、前記個別データに紐付いているリストＩＤおよび生産者ＩＤに基づいて生産者情報を生産者情報記憶部から抽出し、前記個別データおよび前記生産者情報に基づいて申込タブおよび再検索タブを設けて検索結果画面を生成する検索結果画面生成部と、
生成した前記検索結果画面を前記ユーザ端末に提供する検索結果画面提供部と、を有し、
前記ユーザ端末がユーザから前記再検索タブの押下入力を受付けた場合に、ウイスキーの再検索を行う、
管理サーバ。
【請求項３】
請求項１または請求項２に記載の管理サーバにおいて、
前記ユーザ端末がユーザから申込タブの押下入力を受付けた場合に、ウイスキー情報記憶部から個別データを取得し、前記個別データに基づいて購入タブを設けて購入画面を生成する購入画面生成部と、
生成した前記購入画面を前記ユーザ端末および前記生産者端末に提供する購入画面提供部と、を有し、
前記ユーザ端末がユーザから前記購入タブの押下入力を受付けた場合に、抽出したユーザ情報に含まれる決済情報に基づいて決済を完了し、購入情報を、ブロックチェーンを用いて購入情報記憶部に記憶する、
管理サーバ。
【請求項４】
ユーザ端末と、生産者端末と、前記ユーザ端末および前記生産者端末とネットワークを介して無線通信接続される管理サーバとを有するウイスキー販売方法であって、
前記管理サーバが、前記ユーザ端末からユーザ情報を取得および記憶する工程と、
前記管理サーバが、前記生産者端末から生産者情報を取得および記憶する工程と、
前記管理サーバが、取得した前記生産者情報に含まれるウイスキー情報から樽年数と熟成度を抽出し、抽出した前記熟成度と、前記熟成度を前記樽年数で除算して得る加工係数と、所定の単位価格および追加価格とに基づいて価格を算出する工程と、
前記管理サーバが、前記ユーザ端末から希望データを含むユーザ情報を取得し、前記生産者端末からウイスキー情報を含む生産者情報を取得し、所定の数の生産者を「評価スコア」の高い順に絞り込み、絞り込んだ前記生産者についての前記ウイスキー情報を取得し、前記希望データの「希望品種」と同一の品種であるウイスキーについてリストを抽出し、前記希望データを構成する項目について条件が一致する項目を有する個別データを前記リストから選定する工程と、を有し、
前記ウイスキーは、発振部とシリアルナンバー表示タグとを有するウイスキー樽の内部に貯蔵され、
前記発振部は、前記発振部と無線通信接続されているリモコン装置から送信された電波振動の発生指令を受信することで、前記電波振動を前記ウイスキー樽の内部に発生させ、前記電波振動は、前記ウイスキーの水分子の構造に変化を起こすことによって前記ウイスキーの熟成を促進させる、
ウイスキー販売方法。
【請求項５】
請求項４に記載のウイスキー販売方法において、
前記管理サーバが、前記個別データに紐付いているリストＩＤおよび生産者ＩＤに基づいて生産者情報を生産者情報記憶部から抽出し、前記個別データおよび前記生産者情報に基づいて申込タブおよび再検索タブを設けて検索結果画面を生成する工程と、
前記管理サーバが、生成した前記検索結果画面を前記ユーザ端末に提供する工程と、
前記ユーザ端末がユーザから前記再検索タブの押下入力を受付けた場合に、前記管理サーバが、ウイスキーの再検索を行う工程と、を有する、
ウイスキー販売方法。
【請求項６】
請求項４または請求項５に記載のウイスキー販売方法において、
前記管理サーバが、前記ユーザ端末がユーザから申込タブの押下入力を受付けた場合に、ウイスキー情報記憶部から個別データを取得し、前記個別データに基づいて購入タブを設けて購入画面を生成する工程と、
前記管理サーバが、生成した前記購入画面を前記ユーザ端末および前記生産者端末に提供する工程と、
前記ユーザ端末がユーザから前記購入タブの押下入力を受付けた場合に、前記管理サーバが、抽出したユーザ情報に含まれる決済情報に基づいて決済を完了し、購入情報を、ブロックチェーンを用いて購入情報記憶部に記憶する工程と、を有する、
ウイスキー販売方法。
【発明の詳細な説明】
【技術分野】
【０００１】
本発明は、管理サーバおよびウイスキー販売方法に関する。
【背景技術】
【０００２】
従来、ウイスキーは、熟成させるために最低３年前後の酒樽での貯蔵を必要とする。すなわち、ウイスキーは、生産から販売までの収益化に長期間を要する。そのため、ウイスキーは、投資対象として不向きであった。
【先行技術文献】
【特許文献】
【０００３】
【特許文献１】特開２００６−１７４７６１号公報
【発明の概要】
【発明が解決しようとする課題】
【０００４】
例えば、特許文献１には、酒類の品質を損なわずに短時間で熟成させることができる酒類熟成器が開示されている。
【０００５】
しかし、特許文献１は、ウイスキーの熟成を早めるための加工度に応じて価格を算出し、その価格をブロックチェーンに含め証券化するウイスキー販売方法について意図しているものではない。
【０００６】
本発明の目的は、ウイスキーの熟成を早めるための加工度に応じて価格を算出し、その価格をブロックチェーンに含め証券化するウイスキー販売方法を提供することである。
【課題を解決するための手段】
【０００７】
本願において開示される発明のうち、代表的なものの概要を簡単に説明すれば、次の通りである。
【０００８】
本発明の一実施の形態は、ユーザ端末１００と、生産者端末１１０と、ユーザ端末１００および生産者端末１１０とネットワークを介して無線通信接続される管理サーバ１２０であって、生産者情報３００を生産者情報記憶部１３１から取得し、取得した生産者情報３００に含まれるウイスキー情報３１０から樽年数と熟成度との少なくともいずれか一方を抽出し、抽出した熟成度と、熟成度を樽年数で除算して得る加工係数と、所定の単位価格および追加価格とに基づいて価格を算出する価格算出部１４０を有する。
また、管理サーバ１２０は、ユーザ端末１００から希望データ２１０を含むユーザ情報２００を取得し、生産者端末１１０からウイスキー情報３１０を含む生産者情報３００を取得し、所定の数の生産者を評価スコアの高い順に絞り込み、絞り込んだ生産者についてのウイスキー情報３１０を取得し、希望データ２１０の希望品種と同一の品種であるウイスキー１１１についてリスト３１１を抽出し、希望データ２１０を構成する項目について条件が一致する項目を有する個別データ３１２をリスト３１１から選定する検索部１５０と、を有する。
また、ウイスキー１１１は、発振部７１０とシリアルナンバー表示タグ７３０とを有するウイスキー樽７００の内部に貯蔵される。
また、発振部７１０は、発振部７１０と無線通信接続されているリモコン装置７２０から送信された電波振動７１１の発生指令７２１を受信することで、電波振動７１１をウイスキー樽７００の内部に発生させる。
また、電波振動７１１は、ウイスキー１１１の水分子の構造に変化を起こすことによってウイスキー１１１の熟成を促進させる。
【発明の効果】
【０００９】
本発明によれば、ウイスキーの熟成を早めるための加工度に応じて価格を算出し、その価格をブロックチェーンに含め証券化するウイスキー販売方法を提供できる。
【図面の簡単な説明】
【００１０】
【図１】本発明の一実施の形態におけるウイスキー販売システムの構成例の概要を示す図である。
【図２】本発明の一実施の形態における管理サーバのユーザ情報記憶部に記憶されているユーザ情報および希望データの概要を示す図である。
【図３】本発明の一実施の形態における管理サーバの生産者情報記憶部に記憶されている生産者情報およびウイスキー情報の概要を示す図である。
【図４】本発明の一実施の形態における全体処理の概要を示す図である。
【図５】本発明の一実施の形態におけるユーザ情報取得処理およびユーザ情報記憶処理の概要を示す図である。
【図６】本発明の一実施の形態における生産者情報取得処理および生産者情報記憶処理の概要を示す図である。
【図７】本発明の一実施の形態におけるウイスキーの熟成加工および価格算出式の概要を示す図である。
【図８】本発明の一実施の形態における価格算出処理の概要を示す図である。
【図９】本発明の一実施の形態における検索処理の構成例の概要を示す図である。
【図１０】本発明の一実施の形態における検索結果画面の概要を示す図である。
【図１１】本発明の一実施の形態における検索結果画面生成処理の概要を示す図である。
【図１２】本発明の一実施の形態における検索結果画面提供処理の概要を示す図である。
【図１３】本発明の一実施の形態における購入画面の概要を示す図である。
【図１４】本発明の一実施の形態における購入画面生成処理の概要を示す図である。
【図１５】本発明の一実施の形態における購入画面提供処理および購入情報記憶処理の概要を示す図である。
【発明を実施するための形態】
【００１１】
以下、本発明を実施するための形態について図を参照しながら説明する。なお、これはあくまでも一例であって、本発明の技術的範囲はこれに限られるものではない。また、実施の形態を説明するための全図において、同一部には原則として同一の符号を付し、その繰り返しの説明は省略する。
＜システム構成＞
図１は、本発明の一実施の形態におけるウイスキー販売システムの構成例の概要を示す図である。
【００１２】
図１に示されるように、ウイスキー販売システムは、ユーザ端末１００と、生産者端末１１０と、ユーザ端末１００および生産者端末１１０とネットワークを介して無線通信接続される管理サーバ１２０とを有する。
【００１３】
ユーザ端末１００は、ウイスキーの購入者であるユーザが有する端末を示す。生産者端末１１０は、ウイスキーの販売者である生産者が有する端末を示す。
【００１４】
管理サーバ１２０は、ユーザ情報記憶部１３０と、生産者情報記憶部１３１と、ウイスキー情報記憶部１３２と、検索結果画面記憶部１３３と、購入画面記憶部１３４と、購入情報記憶部１３５と、価格算出部１４０と、検索部１５０と、検索結果画面生成部１６０と、検索結果画面提供部１７０と、購入画面生成部１８０と、購入画面提供部１９０とを有する。
【００１５】
ユーザ情報記憶部１３０には、ユーザ情報２００（後述、図２）が記憶されている。生産者情報記憶部１３１には、生産者情報３００（後述、図３）が記憶されている。ウイスキー情報記憶部１３２には、ウイスキー情報３１０が記憶されている。検索結果画面記憶部１３３には、検索結果画面１０００（後述、図１０）が記憶されている。購入画面記憶部１３４には、購入画面１３００（後述、図１３）が記憶されている。購入情報記憶部１３５には、購入情報２２０（後述、図２）が記憶されている。
【００１６】
価格算出部１４０は、生産者情報３００を生産者情報記憶部１３１から取得し、取得した生産者情報３００に含まれるウイスキー情報３１０から樽年数と熟成度を抽出し、抽出した熟成度と、熟成度を樽年数で除算して得る加工係数と、所定の単位価格および追加価格とに基づいて価格を算出する。
【００１７】
検索部１５０は、ユーザ端末１００から希望データ２１０を含むユーザ情報２００を取得し、生産者端末１１０からウイスキー情報３１０を含む生産者情報３００を取得し、所定の数の生産者を「評価スコア」の高い順に絞り込み、絞り込んだ生産者についてのウイスキー情報３１０を取得し、希望データ２１０の「希望品種」と同一の品種であるウイスキーについてリスト３１１を抽出し、希望データ２１０を構成する項目について条件が一致する項目を有する個別データ３１２をリスト３１１から選定する。
【００１８】
検索結果画面生成部１６０は、検索部１５０によって選定された個別データ３１２を取得し、個別データ３１２に紐付いているリストＩＤおよび生産者ＩＤに基づいて生産者情報３００を生産者情報記憶部１３１から抽出し、個別データ３１２および生産者情報３００に基づいて申込タブ１０３０を設けて検索結果画面１０００を生成する。
【００１９】
検索結果画面提供部１７０は、生成した検索結果画面１０００をユーザ端末１００に提供する。
【００２０】
購入画面生成部１８０は、ユーザ端末１００がユーザから申込タブ１０３０の押下入力を受付けた場合に、ウイスキー情報記憶部１３２から個別データ３１２を取得し、個別データ３１２に基づいて、図１３に示すユーザ端末１００に購入タブ１３３０を設けて購入画面１３００を生成する。
【００２１】
購入画面提供部１９０は、生成した購入画面１３００をユーザ端末１００および生産者端末１１０に提供する。
＜ユーザ情報記憶部＞
図２（ａ）は、本発明の一実施の形態における管理サーバ１２０のユーザ情報記憶部１３０に記憶されているユーザ情報２００の構成例の概要を示す図である。
【００２２】
図２（ａ）に示されるように、ユーザ情報２００は、ユーザＩＤと、氏名と、連絡先と、希望データ２１０と購入情報２２０などのデータ項目により構成される。
【００２３】
ユーザＩＤは、管理サーバ１２０が、ユーザを識別するための符号を示す。氏名は、ユーザの名称を示す。連絡先は、ユーザの連絡先を示す。住所は、ユーザの住所を示す。希望データ２１０は、ユーザ端末１００がユーザから入力を受け付けることで取得するウイスキーについての検索条件を示す（詳細は後述する）。
【００２４】
購入情報２２０は、図１３のユーザ端末１００に表示された購入画面１３００に含まれる購入タブ１３３０を押下することでユーザが購入したウイスキーについての情報を示す（詳細は後述する）。
【００２５】
図２（ｂ）は、本発明の一実施の形態における管理サーバ１２０のユーザ情報記憶部１３０に記憶されているユーザ情報２００に含まれる希望データ２１０の構成例の概要を示す図である。希望データ２１０は、ユーザＩＤ、希望品種、希望樽年数、希望熟成度、決済情報等の情報を示す。
【００２６】
「希望品種」は、ユーザが購入を希望するウイスキーの品種を示す。ウイスキーの品種は、例えば、モルト、グレーン、ライ等である。
【００２７】
「希望樽年数」は、ユーザが購入を希望するウイスキーの樽年数を示す。ウイスキーの樽年数は、蒸溜したウイスキー（所謂ニューポット）を樽に貯蔵開始してからの実際の年数を示す。例えば、２年、３年６ヶ月、４年、等である。
【００２８】
「希望熟成度」は、ユーザが購入を希望するウイスキーの熟成度を示す。ウイスキーの熟成度は、熟成年数を想定させた仮想の樽年数を示す。すなわち、「樽年数」が実際のウイスキーの貯蔵年数であるのに対し、「熟成度」は、ウイスキーがその年数まで貯蔵したと想定した年数を示す。
【００２９】
例えば、「樽年数」が２年で「熟成度」が５年の場合、ウイスキーの実際の貯蔵年数は２年であるが、その熟成度合（ウイスキーの品質）は５年貯蔵したウイスキーと同等であることを示す。なお、どのようにして熟成度の年数まで熟成を加速させるかについては、後述する。
【００３０】
「決済情報」は、ユーザがウイスキーを購入する際の、決済に必要な情報を示す。例えば、決済情報は、クレジットカードの情報等である。
【００３１】
図２（ｃ）は、本発明の一実施の形態における図１で管理サーバ１２０の購入情報記憶部１３５に記憶されている購入情報２２０の構成例の概要を示す図である。購入情報２２０は、ユーザＩＤ、購入日時、ウイスキーＩＤ、価格、取引データ等の情報を示す。
【００３２】
「購入日時」は、ユーザがウイスキーを購入した日にちおよび時刻を示す。例えば、購入日時は、「２０２０年４月２５日」等である。
【００３３】
「ウイスキーＩＤ」は、管理サーバ１２０が、ウイスキーを識別するための符号を示す。
【００３４】
「価格」は、ウイスキーの販売価格を示す。価格は、所定の算定式（後述する）に適用して算出する。なお、価格はトークンとして発行できる。また、価格は、仮想通貨を用いても良い。
【００３５】
「取引データ」は、ユーザが購入したウイスキーを証券として取引した場合の情報を示す。例えば、取引データは、取引日時、額面、取引所、証券会社等の情報を示す。
【００３６】
また、購入情報２２０は、ブロックチェーン技術を利用して購入情報記憶部１３５に記憶される。以下、本実施形態におけるブロックチェーンについて、基本的な仕組みを説明する。
【００３７】
ブロックチェーンは、その特徴的なデータ構造とデータ管理方法により、改ざんが難しい取引台帳の提供を可能にする技術である。
【００３８】
ブロックチェーンで扱われるデータブロックは、一定期間内に発生した一または二以上の取引（トランザクション）の内容をまとめたものであり、一つのデータブロックには、一つ前のブロックのハッシュも含められる。このように、直前のブロックのハッシュを含むデータブロックが時系列でチェーンのようにつながっているため、仮に一つのデータが改ざんされると、後続ブロックもすべて作り直す必要が生じる。後続するすべてのブロックを作り直すには膨大な作業が必要になるため、改ざんするのが困難なデータ構造を提供できる。
【００３９】
また、データの管理は、Ｐ２Ｐ（ピアツーピア）ネットワークで接続された個々の参加者（ピア）にデータベースを分散することで行われる。いずれかの参加者が新しいブロックを配布すると、各参加者は検証を行い、各自データに追加する。そして、各自の検証結果はＰ２Ｐネットワークを介して共有される。
【００４０】
このように、ブロックチェーンはＰ２Ｐネットワークにおいて参加者が共有する一つの巨大な元帳として機能するため、ブロックチェーンの技術を用いることで、データを改ざんの恐れなしに公正に取引することができ、仮想通貨だけでなく、様々なデータのやり取りに利用されている。
【００４１】
そして、本実施形態においては、ウイスキーの購入情報に関して、ブロックチェーンの技術を用いたデータとして取り扱うことで、ウイスキーの価格及び取引データ等に関して、不正な改ざんの恐れなく公正に取り扱うことができる。
＜生産者情報記憶部＞
図３（ａ）は、本発明の一実施の形態における管理サーバ１２０の生産者情報記憶部１３１に記憶されている生産者情報３００の構成例の概要を示す図である。
【００４２】
図３（ａ）に示されるように、生産者情報３００は、生産者ＩＤと、生産者名と、連絡先と、評価スコアと、ウイスキー情報３１０などのデータ項目により構成される。
【００４３】
生産者ＩＤは、管理サーバ１２０が、生産者を識別するための符号を示す。生産者名は、生産者の名称を示す。評価スコアは、生産者に対する評価を示す。ウイスキー情報３１０は、生産者端末１１０が生産者から入力を受け付けることで取得する生産者についてのデータを含むリスト３１１の情報を示す（詳細は後述する）。
【００４４】
なお、評価スコアは、例えば、０から５までの数値で示され、「５」が最も優良であるとする。すなわち、評価スコアは、その数値が大きいほど生産者の評判が優良であることを示す。
【００４５】
図３（ｂ）は、本発明の一実施の形態における管理サーバ１２０の生産者情報記憶部１３１に記憶されている生産者情報３００に含まれるウイスキー情報３１０の構成例の概要を示す図である。
【００４６】
ウイスキー情報３１０は、生産者ＩＤと、単数または複数のリスト３１１を含む。また、リスト３１１はリストＩＤと、個別データ３１２を含む。
【００４７】
個別データ３１２は、品種、ウイスキーＩＤ、樽年数、熟成度、加工係数、価格等の情報を示す。
【００４８】
「リストＩＤ」は、管理サーバ１２０が、リスト３１１を識別するための符号を示す。
【００４９】
「品種」は、ウイスキーが属する品種を示す。例えば、品種は、モルト、グレーン、ライ等である。なお、各リスト３１１は、同一の品種に属するウイスキーで構成される。すなわち、リスト３１１は、品種を基準として分類されていると換言できる。例えば、「リストＩＤ：Ｌ０００１は、モルトのウイスキー」で構成され、「リストＩＤ：Ｌ０００２は、グレーンのウイスキー」で構成されている。
【００５０】
「ウイスキーＩＤ」は、管理サーバ１２０が、ウイスキーを識別するための符号を示す。
【００５１】
「樽年数」は、蒸溜したウイスキー（所謂ニューポット）を樽に貯蔵開始してからの実際の年数を示す。例えば、２年、３年６ヶ月、４年、等である。
【００５２】
「熟成度」は、熟成年数を想定させた仮想の樽年数を示す。すなわち、「樽年数」が実際のウイスキーの貯蔵年数であるのに対し、「熟成度」は、ウイスキーがその年数まで貯蔵したと想定した年数を示す。
【００５３】
なお、熟成度の数値が樽年数の数値を下回ることは無い。また、熟成度の数値は、「３年」以上とする。
【００５４】
「加工係数」は、生産者がどの程度ウイスキーの熟成を加速させるかの度合を示す。すなわち、加工係数が大きい数値の場合、生産者がウイスキーの熟成を加速させる度合は大きい。
【００５５】
加工係数（Ｃ）は、熟成度（Ｂ）を樽年数（Ａ）で除算して得る。なお、熟成度の数値が樽年数の数値を下回ることは無いことから、加工係数は１．０以上の数値である。
【００５６】
「価格」は、ウイスキーの販売価格を示す。価格は、上述の熟成度（Ｂ）、加工係数（Ｃ）等を所定の算定式（後述する）に適用して算出する。なお、価格はトークンとして発行できる。また、価格は、仮想通貨を用いても良い。
＜全体処理＞
図４は、本発明の一実施の形態における全体処理の概要を示す図である。
【００５７】
まず、Ｓ４０１にて、管理サーバ１２０はユーザ情報取得処理およびユーザ情報記憶処理（図５で後述する）を行う。
【００５８】
次に、Ｓ４０２にて、管理サーバ１２０は生産者情報取得処理および生産者情報記憶処理（図６で後述する）を行う。
【００５９】
次に、Ｓ４０３にて、管理サーバ１２０は価格算出処理（図７、８で後述する）を行う。
【００６０】
次に、Ｓ４０４にて、管理サーバ１２０は検索処理（図９で後述する）を行う。
【００６１】
次に、Ｓ４０５にて、管理サーバ１２０は検索結果画面生成処理（図１０、図１１で後述する）を行う。
【００６２】
次に、Ｓ４０６にて、管理サーバ１２０は検索結果画面提供処理（図１２で後述する）を行う。その後、検索をやり直す場合、管理サーバ１２０はＳ４０１の工程に戻り、以降Ｓ４０６までを繰り返す。
【００６３】
次に、ウイスキーの購入を行う場合、Ｓ４０７にて、管理サーバ１２０は購入画面生成処理（図１３、図１４で後述する）を行う。なお、ウイスキーの購入を行わない場合、管理サーバ１２０は本工程を終了する。
【００６４】
次に、Ｓ４０８にて、管理サーバ１２０は購入画提供処理および購入情報記憶処理（図１５で後述する）を行う。
＜ユーザ情報記憶処理＞
図５（ａ）は、本発明の一実施の形態におけるユーザ情報記憶処理の概要を示す図である。以下、管理サーバ１２０が、ユーザ情報２００を記憶する方法について説明する。
【００６５】
まず、Ｓ５０１にて、管理サーバ１２０は、ユーザ情報入力画面をユーザ端末１００に提供する。次に、Ｓ５０２にて、ユーザ端末１００は、ユーザ情報入力画面をディスプレイに表示させる。
【００６６】
その後、ユーザが本発明に係るシステムを初めて利用する場合、または、希望データ２１０を変更し再検索する場合、Ｓ５０３にて、ユーザ端末１００は、ユーザ情報２００の入力をユーザから受け付ける。なお、この際ユーザから受け付けたユーザ情報２００は、希望データ２１０を含む。
【００６７】
次に、Ｓ５０４にて、ユーザ端末１００は、Ｓ５０３で入力を受け付けたユーザ情報２００を管理サーバ１２０に送信する。
【００６８】
次に、Ｓ５０５にて、管理サーバ１２０は、Ｓ５０４で送信されたユーザ情報２００を受信することにより、ユーザ情報２００を取得する。次に、Ｓ５０６にて、管理サーバ１２０は、受信したユーザ情報２００にユーザＩＤを付して、Ｓ５０３にて入力を受け付けたユーザ情報２００をユーザ情報記憶部１３０に記憶する。
＜ユーザ情報取得処理＞
図５（ｂ）は、本発明の一実施の形態におけるユーザ情報取得処理の概要を示す図である。以下、管理サーバ１２０が、ユーザ情報２００を取得する方法について説明する。
【００６９】
ユーザが本発明に係るシステムを２回目以降利用する場合、Ｓ５０７にて、ユーザ端末１００はユーザＩＤの入力をユーザから受け付ける。なお、ユーザＩＤは、ユーザ情報２００に含まれる。
【００７０】
次に、Ｓ５０８にて、ユーザ端末１００は、Ｓ５０７で入力を受け付けたユーザＩＤを管理サーバ１２０に送信する。
【００７１】
その後、Ｓ５０９にて、管理サーバ１２０は、Ｓ５０８で送信されたユーザＩＤのキーに対応するユーザ情報２００をユーザ情報記憶部１３０から取得する。
＜生産者情報記憶処理＞
図６（ａ）は、本発明の一実施の形態における生産者情報記憶処理の概要を示す図である。以下、管理サーバ１２０が、生産者情報３００を記憶する方法について説明する。
【００７２】
まず、Ｓ６０１にて、管理サーバ１２０は、生産者情報入力画面を生産者端末１１０に提供する。次に、Ｓ６０２にて、生産者端末１１０は、生産者情報入力画面をディスプレイに表示させる。
【００７３】
その後、生産者が本発明に係るシステムを初めて利用する場合、または、ウイスキー情報３１０を変更し更新する場合、Ｓ６０３にて、生産者端末１１０は生産者情報３００の入力を生産者から受け付ける。なお、この際生産者から受け付けた生産者情報３００は、ウイスキー情報３１０を含む。
【００７４】
次に、Ｓ６０４にて、生産者端末１１０は、Ｓ６０３で入力を受け付けた生産者情報３００を管理サーバ１２０に送信する。
【００７５】
次に、Ｓ６０５にて、管理サーバ１２０は、Ｓ６０４で送信された生産者情報３００を受信することにより、生産者情報３００を取得する。次に、Ｓ６０６にて、管理サーバ１２０は、受信した生産者情報３００に生産者ＩＤを付して、Ｓ６０３にて入力を受け付けた生産者情報３００を生産者情報記憶部１３１に記憶する。
＜生産者情報取得処理＞
図６（ｂ）は、本発明の一実施の形態における生産者情報取得処理の概要を示す図である。以下、管理サーバ１２０が、生産者情報３００を取得する方法について説明する。
【００７６】
生産者が本発明に係るシステムを２回目以降利用する場合、Ｓ６０７にて、生産者端末１１０は生産者ＩＤの入力を生産者から受け付ける。なお、生産者ＩＤは、生産者情報３００に含まれる。
【００７７】
次に、Ｓ６０８にて、生産者端末１１０は、Ｓ６０７で入力を受け付けた生産者ＩＤを管理サーバ１２０に送信する。
【００７８】
その後、Ｓ６０９にて、管理サーバ１２０は、Ｓ６０８で送信された生産者ＩＤのキーに対応する生産者情報３００を生産者情報記憶部１３１から取得する。
＜ウイスキーの熟成加工＞
図７は、本発明の一実施の形態におけるウイスキーの熟成加工および価格算出式の概要を示す図である。
【００７９】
図７（ａ）に示されるように、ウイスキー１１１は、ウイスキー樽７００の内部に貯蔵される。ウイスキー樽７００は、発振部７１０と、シリアルナンバー表示タグ７３０と、を有する。また、ウイスキー樽７００の発振部７１０は、リモコン装置７２０と無線通信接続により接続される。
【００８０】
発振部７１０は、電波振動７１１を発生させる。具体的には、発振部７１０は、発振部７１０と無線通信接続されているリモコン装置７２０から送信された電波振動７１１の発生指令７２１を受信することで、電波振動７１１をウイスキー樽７００の内部に発生させる。
【００８１】
発振部７１０は、ウイスキー樽７００の底面または側面に設置される。電波振動７１１は、ウイスキー１１１の水分子の構造に変化を起こすことによってウイスキー１１１の熟成を促進させる。
【００８２】
また、電波振動７１１は、電波振動７１１の強さまたは作用時間によって、ウイスキー１１１の熟成の促進度合を調整できる。例えば、電波振動７１１が強いほど、または電波振動７１１の作用時間が長いほど、電波振動７１１は、ウイスキー１１１の熟成の促進度合を大きくすることができる。
【００８３】
リモコン装置７２０は、発振部７１０に向けて発生指令７２１を送信する。具体的には、生産者から操作を受け付けることによって、リモコン装置７２０は、発振部７１０が電波振動７１１を発生させるための発生指令７２１を、リモコン装置７２０と無線通信接続されている発振部７１０に向けて送信する。
【００８４】
また、リモコン装置７２０は、発生指令７２１によって、発振部７１０に発生させる電波振動７１１の強さ、作用時間を変化させることができる。具体的には、リモコン装置７２０が有する調整ボタンまたはタッチパネル等が生産者（操作者）から操作入力を受け付けることにより、リモコン装置７２０は、発生指令７２１の「発振部７１０に発生させる電波振動７１１の強弱および作用時間の長短」を決定する。
【００８５】
例えば、生産者がウイスキー１１１の熟成の促進度合を大きくすることを希望する場合には、リモコン装置７２０は、生産者から操作を受け付けることで発振部７１０に発生させる電波振動７１１の強さを大きくでき、また電波振動７１１の作用時間を長くできる。
【００８６】
シリアルナンバー表示タグ７３０は、ウイスキー樽７００に貯蔵されたウイスキー１１１を識別するためのシリアルナンバーを表示させる。なお、シリアルナンバーは、ウイスキーＩＤに対応して付与される。
【００８７】
上記のようにして、ウイスキー樽７００は、実際の樽年数から「熟成度」の年数まで熟成を加速させることができる。すなわち、ウイスキー樽７００は、例えば「樽年数」が２年で「熟成度」が５年の場合、ウイスキーの実際の貯蔵年数は２年であるが、その熟成度合は５年貯蔵したウイスキーと同等になる、という状態を実現できる。
【００８８】
図７（ｂ）に示されるように、加工係数（Ｃ）は、熟成度（Ｂ）を樽年数（Ａ）で除算して得ることができる。
【００８９】
図７（ｃ）に示されるように、価格は、熟成度Ｂと、加工係数Ｃと、単位価格（Ｐ）と、追加価格（Ｑ）とに基づいて算出される。価格は、Ｃ×｛Ｐ＋（Ｂ−３）×Ｑ｝の演算処理によって算出される。
【００９０】
単位価格Ｐは、「熟成度が３年で、加工係数Ｃが１．０の場合」の価格を示す。追加価格Ｑは、熟成度が１年増加した場合に加算する１年毎の追加価格である。なお、単位価格Ｐおよび追加価格Ｑは、予め設定でき、ウイスキーの品種によって異なる値としても良い。
【００９１】
上記算定式に基づいて価格を算出することによって、価格は、加工係数Ｃが大きいほど、また、熟成度Ｂが大きいほど、大きな値になる。すなわち、生産者は、リモコン装置７２０を用いてウイスキーの熟成を促進させるほど、ウイスキーの価値を高めることができる。
【００９２】
また、上記のように、生産者がウイスキーの熟成度合を個別にコントロールできることによって、ウイスキー樽７００は、生産者が有する複数のウイスキーの風味や価格を多様化させ、生産者に様々なユーザ（購入者）のニーズに対応させることができる。
【００９３】
そして、ユーザは、多様なウイスキーから所望するものを購入し証券化することで、ウイスキーによる幅広い投資活動を行うことができる。
＜価格算出処理＞
図８は、本発明の一実施の形態における価格算出処理の概要を示す図である。
【００９４】
まず、Ｓ８０１にて、管理サーバ１２０の価格算出部１４０は、生産者情報記憶部１３１から生産者情報３００を抽出し、生産者情報３００に含まれるウイスキー情報３１０を取得する。
【００９５】
次に、Ｓ８０２にて、価格算出部１４０は、取得したウイスキー情報３１０に含まれる樽年数Ａと、熟成度Ｂを抽出する。
【００９６】
次に、Ｓ８０３にて、価格算出部１４０は、Ｓ８０１で抽出した樽年数Ａと、熟成度Ｂとに基づいて加工係数Ｃを算出する。具体的には、加工係数Ｃは、熟成度Ｂを樽年数Ａで除算することで得る。例えば、樽年数Ａが２年６ヶ月（＝２．５年）、熟成度Ｂが５年である場合、加工係数Ｃは、「５÷２．５＝２．０」と算出される。
【００９７】
次に、Ｓ８０４にて、価格算出部１４０は、Ｓ８０１で抽出した熟成度Ｂと、Ｓ８０３で算出した加工係数Ｃと、予め設定されている単位価格Ｐおよび追加価格Ｑとに基づいて価格を算出する。具体的には、価格は、Ｃ×｛Ｐ＋（Ｂ−３）×Ｑ｝の演算処理を行うことで得る。
【００９８】
例えば、熟成度Ｂが５年、加工係数Ｃが２．０、単位価格Ｐが３９００円、追加価格Ｑが１０００円である場合、価格は、「２．０×｛３９００＋（５−３）×１０００｝＝１１８００円」と算出される。
【００９９】
次に、Ｓ８０５にて、価格算出部１４０は、Ｓ８０４で算出した価格でウイスキー情報３１０に含まれる個別データ３１２を更新して、該ウイスキー情報３１０をウイスキー情報記憶部１３２に記憶する。
【０１００】
このように、上記算定式を用いて価格を算出することによって、管理サーバ１２０は、加工係数Ｃが大きいほど、また、熟成度Ｂが大きいほど、ユーザに販売するウイスキーの価値を高めることができる。
【０１０１】
また、上記のように、生産者がウイスキーの熟成度合を個別にコントロールできることによって、ウイスキー樽７００は、生産者が有する複数のウイスキーの風味や価格を多様化させ、生産者に様々なユーザ（購入者）のニーズに対応させることができる。
【０１０２】
そして、ユーザは、多様なウイスキーから所望するものを購入し証券化することで、ウイスキーによる幅広い投資活動を行うことができる。
＜検索処理＞
図９は、本発明の一実施の形態における検索処理の概要を示す図である。
【０１０３】
まず、Ｓ９０１にて、管理サーバ１２０の検索部１５０は、ユーザ情報記憶部１３０からユーザ情報２００を抽出し、ユーザ情報２００に含まれる希望データ２１０を取得する。
【０１０４】
次に、Ｓ９０２にて、検索部１５０は、生産者情報記憶部１３１から生産者情報３００を抽出する。
【０１０５】
次に、Ｓ９０３にて、検索部１５０は、Ｓ９０２で抽出した生産者の中から生産者情報３００の「評価スコア」が高い順に、所定の数の生産者を絞り込む。
【０１０６】
次に、Ｓ９０４にて、検索部１５０は、Ｓ９０２で抽出した生産者情報３００からＳ９０３で絞り込んだ生産者についてのウイスキー情報３１０をウイスキー情報記憶部１３２から取得する。
【０１０７】
次に、Ｓ９０５にて、検索部１５０は、Ｓ９０１で取得した希望データ２１０の「希望品種」と同一の品種であるリスト３１１を、Ｓ９０４で取得したウイスキー情報３１０から抽出する。
【０１０８】
次に、Ｓ９０６にて、検索部１５０は、Ｓ９０１で取得した希望データ２１０の「希望樽年数」、「希望熟成度」等の項目について条件が一致する項目を有する個別データ３１２を、Ｓ９０５で抽出したリスト３１１から選定する。
【０１０９】
次に、Ｓ９０７にて、検索部１５０は、検索結果画面生成部１６０に検索結果画面１０００の生成を要求する。
【０１１０】
このように、所定の数の生産者を評価スコアの高い順に絞り込み、条件が一致する項目を有する個別データ３１２をリスト３１１から選定することによって、管理サーバ１２０は、優良な生産者が有するウイスキーの中から条件を満たすウイスキーをユーザに販売できる。
【０１１１】
すなわち、ユーザは、複数の生産者が有するリスト３１１の中から、より希少価値が高く、且つ希望条件に近いウイスキーを購入できる。
＜検索結果画面＞
図１０は、本発明の一実施の形態における検索結果画面１０００の概要を示す図である。
【０１１２】
図１０に示されるように、検索結果画面１０００は、ウイスキー表示領域１０１０と、個別データ表示領域１０２０と、申込タブ１０３０と、再検索タブ１０５０と、を含む。検索結果画面１０００は、ユーザ端末１００に表示される。
【０１１３】
ウイスキー表示領域１０１０は、Ｓ１００６で検索部１５０によって選定された個別データ３１２に紐づくウイスキーの写真やそのウイスキーを有する生産者名等を表示させる。なお、ウイスキー表示領域１０１０の表示のさせ方については特に限定されない。
【０１１４】
個別データ表示領域１０２０は、検索部１５０によって抽出されたウイスキー情報３１０およびそれに紐付いた個別データ３１２を表示させる。なお、個別データ表示領域１０２０の表示のさせ方については特に限定されない。
【０１１５】
申込タブ１０３０は、ユーザが希望するウイスキーについて購入申込をするためのタブを示す。すなわち、申込タブ１０３０がユーザからタップまたはクリックの入力を受け付けることにより、管理サーバ１２０は、購入画面１３００の提供を購入画面生成部１８０に要求する。なお、申込タブ１０３０の表示のさせ方については特に限定されない。
【０１１６】
再検索タブ１０５０は、ユーザがウイスキーを再検索するためのタブを示す。すなわち、再検索タブ１０５０がユーザからタップまたはクリックの入力を受け付けることにより、管理サーバ１２０は、ユーザのウイスキーの再検索を開始させる。なお、再検索タブ１０５０の表示のさせ方については特に限定されない。
【０１１７】
このようにして、管理サーバ１２０は、ウイスキーの検索結果をユーザに容易に把握させることができる。また、検索結果画面１０００が申込タブ１０３０、再検索タブ１０５０を有することで、管理サーバ１２０は、ユーザがより満足してウイスキーを購入できるウイスキー販売サービスを提供できる。
＜検索結果画面生成処理＞
図１１は、本発明の一実施の形態における検索結果画面生成処理の概要を示す図である。
【０１１８】
まず、Ｓ１１０１にて、管理サーバ１２０の検索結果画面生成部１６０は、Ｓ９０７で要求された検索結果画面１０００の生成リクエストを受け付け、生成に要する個別データ３１２をＳ９０６で選定した検索部１５０から取得する。
【０１１９】
次に、Ｓ１１０２にて、検索結果画面生成部１６０は、Ｓ１１０１で取得した個別データ３１２に紐付いているリストＩＤおよび生産者ＩＤに基づいて生産者情報３００を生産者情報記憶部１３１から抽出する。
【０１２０】
次に、Ｓ１１０３にて、検索結果画面生成部１６０は、Ｓ１１０２で抽出した生産者情報３００およびＳ１１０１で取得した個別データ３１２に基づいて、「申込タブ１０３０」を設けて検索結果画面１０００を生成する。
【０１２１】
Ｓ１１０４にて、検索結果画面生成部１６０は、検索結果画面１０００の提供を検索結果画面提供部１７０に要求する。
＜検索結果画面提供処理＞
図１２は、本発明の一実施の形態における検索結果画面提供処理の構成例の概要を示す図である。
【０１２２】
まず、Ｓ１２０１にて、管理サーバ１２０の検索結果画面提供部１７０は、Ｓ１１０４で要求された検索結果画面１０００の提供リクエストを受け付ける。
【０１２３】
次に、Ｓ１２０２にて、検索結果画面提供部１７０は、検索結果画面１０００を提供したいユーザＩＤに対応するユーザ情報２００をユーザ情報記憶部１３０から抽出する。
【０１２４】
次に、Ｓ１２０３にて、検索結果画面提供部１７０は、Ｓ１２０２で抽出した検索結果画面１０００をユーザ端末１００に提供する。
【０１２５】
次に、Ｓ１２０４にて、ユーザ端末１００は、Ｓ１２０３で管理サーバ１２０から提供された検索結果画面１０００を、端末のディスプレイに表示させる。
【０１２６】
次に、Ｓ１２０５にて、ユーザ端末１００は、ユーザから申込タブ１０３０の押下入力を受付けたか否かを判定する。ユーザから申込タブ１０３０の押下入力を受付けた場合、ユーザ端末１００は、工程Ｓ１２０６へ進行する。ユーザから申込タブ１０３０の押下入力を受付けない場合、ユーザ端末１００は、工程Ｓ１２０７へ進行する。
【０１２７】
Ｓ１２０６にて、ユーザ端末１００は、申込指示を管理サーバ１２０に送信する。その後、管理サーバ１２０は、購入画面１３００の提供を購入画面生成部１８０に要求する。
【０１２８】
Ｓ１２０７にて、ユーザ端末１００は、ユーザから再検索タブ１０５０の押下入力を受付けたか否かを判定する。ユーザから再検索タブ１０５０の押下入力を受付けた場合、ユーザ端末１００は、工程Ｓ１２０８へ進行する。ユーザから再検索タブ１０５０の押下入力を受付けない場合、ユーザ端末１００は、本工程を終了する。
【０１２９】
Ｓ１２０８にて、ユーザ端末１００は、再検索指示を管理サーバ１２０に送信する。その後、管理サーバ１２０は、再検索を行うため工程Ｓ４０１へ進行し、以降Ｓ４０６までを行う。
【０１３０】
このようにして、管理サーバ１２０は、ウイスキーの検索結果をユーザに容易に把握させることができる。また、検索結果画面１０００が申込タブ１０３０、再検索タブ１０５０を有することで、管理サーバ１２０は、ユーザがより満足してウイスキーを購入できるウイスキー販売サービスを提供できる。
【０１３１】
また、管理サーバ１２０は、ユーザに生産者が有するウイスキーリストを閲覧させたうえで所望するウイスキーを検索し購入させるウイスキー販売方法を提供できる。
＜購入画面＞
図１３は、本発明の一実施の形態における購入画面１３００の概要を示す図である。
【０１３２】
図１３に示されるように、購入画面１３００は、ウイスキー情報表示領域１３１０と、価格表示領域１３２０と、購入タブ１３３０とを含む。購入画面１３００は、ユーザ端末１００に表示される。
【０１３３】
ウイスキー情報表示領域１３１０は、ユーザから購入希望の申込を受付けたウイスキーについてのウイスキー情報３１０を表示させる。なお、ウイスキー情報表示領域１３１０の表示のさせ方については特に限定されない。
【０１３４】
価格表示領域１３２０は、ユーザから購入希望の申込を受付けたウイスキーについての価格を表示させる。なお、価格表示領域１３２０の表示のさせ方については特に限定されない。
【０１３５】
購入タブ１３３０は、ユーザが希望するウイスキーについて購入をするためのタブを示す。すなわち、購入タブ１３３０がユーザからタップまたはクリックの入力を受け付けることにより、管理サーバ１２０は、ユーザが希望するウイスキーの決済を完了させる。なお、購入タブ１３３０の表示のさせ方については特に限定されない。
＜購入画面生成処理＞
図１４は、本発明の一実施の形態における購入画面生成処理の概要を示す図である。
【０１３６】
まず、Ｓ１４０１にて、管理サーバ１２０の購入画面生成部１８０は、Ｓ１２０６で要求された購入画面１３００の生成リクエストを受け付け、生成に要する個別データ３１２をＳ１２０５で受け付けた申込タブ１０３０に対応するウイスキーＩＤを参照しウイスキー情報記憶部１３２から取得する。
【０１３７】
次に、Ｓ１４０２にて、購入画面生成部１８０は、Ｓ１４０１で取得した個別データ３１２に基づいて、「購入タブ１３３０」を設けて購入画面１３００を生成する。
【０１３８】
Ｓ１４０３にて、購入画面生成部１８０は、生成した購入画面１３００を購入画面記憶部１３４に記憶する。
【０１３９】
Ｓ１４０４にて、購入画面生成部１８０は、購入画面１３００の提供を購入画面提供部１９０に要求する。
＜購入画面提供処理および購入情報記憶処理＞
図１５は、本発明の一実施の形態における購入画面提供処理および購入情報記憶処理の構成例の概要を示す図である。
【０１４０】
まず、Ｓ１５０１にて、管理サーバ１２０の購入画面提供部１９０は、Ｓ１４０４で要求された購入画面１３００の提供リクエストを受け付ける。
【０１４１】
次に、Ｓ１５０２にて、購入画面提供部１９０は、購入画面１３００を提供したいユーザＩＤに対応するユーザ情報２００をユーザ情報記憶部１３０から抽出する。
【０１４２】
次に、Ｓ１５０３にて、管理サーバ１２０の購入画面提供部１９０は、Ｓ１４０３で記憶された購入画面１３００を購入画面記憶部１３４から抽出する。
【０１４３】
次に、Ｓ１５０４にて、購入画面提供部１９０は、Ｓ１５０３で抽出した購入画面１３００をユーザ端末１００に提供する。
【０１４４】
次に、Ｓ１５０５にて、ユーザ端末１００は、Ｓ１５０４で管理サーバ１２０から提供された購入画面１３００を、端末のディスプレイに表示させる。
【０１４５】
次に、Ｓ１５０６にて、ユーザ端末１００は、ユーザから購入タブ１３３０の押下入力を受付けたか否かを判定する。ユーザから購入タブ１３３０の押下入力を受付けた場合、ユーザ端末１００は、工程Ｓ１５０７へ進行する。ユーザから購入タブ１３３０の押下入力を受付けない場合、ユーザ端末１００は、本工程を終了する。
【０１４６】
Ｓ１５０７にて、ユーザ端末１００は、購入指示を管理サーバ１２０に送信する。その後、管理サーバ１２０は、ユーザＩＤに対応するユーザ情報２００に含まれる決済情報を抽出する。
【０１４７】
次に、Ｓ１５０８にて、管理サーバ１２０は、Ｓ１５０７で抽出した決済情報に基づいて決済を完了する。
【０１４８】
次に、Ｓ１５０９にて、管理サーバ１２０は、ユーザ端末１００および生産者端末１１０に決済完了通知を送信する。
【０１４９】
次に、Ｓ１５１０にて、管理サーバ１２０は、ユーザが購入したウイスキーについての購入情報２２０を購入情報記憶部１３５に記憶する。管理サーバ１２０は、購入情報２２０を、ブロックチェーンを用いて購入情報記憶部１３５に記憶する。
【０１５０】
このようにして、管理サーバ１２０は、ユーザに購入を希望するウイスキーを販売させることができる。また、管理サーバ１２０は、ブロックチェーンの技術を用いたデータとして取り扱うことで、ウイスキーの価格及び取引データ等に関して、不正な改ざんの恐れなく公正に取り扱うことができる。
＜本実施の形態の効果＞
以上説明した本発明の実施の形態によれば、管理サーバ１２０は、ウイスキーの熟成を早めるための加工度に応じて価格を算出し、その価格をブロックチェーンに含め証券化するウイスキー販売方法を提供できる。
【０１５１】
また、管理サーバ１２０は、ユーザに生産者が有するウイスキーリストを閲覧させたうえで所望するウイスキーを検索し購入させるウイスキー販売方法を提供できる。
【０１５２】
また、ユーザ側のメリットとして、ユーザは、希少価値が高く、且つ希望条件に近いウイスキーを購入できる。さらに、ユーザは、熟成を早める加工をして現実の貯蔵年数の短いウイスキーを購入し証券として取引を行うことで、高い投資利回りを実現できる。
【０１５３】
また、生産者側のメリットとして、生産者は、ウイスキーの熟成を早める加工をして現実の貯蔵年数を短くし、ウイスキー販売による短期間の収益化を実現できる。
【０１５４】
以上、本発明者によってなされた発明を実施の形態に基づき具体的に説明したが、本発明は前記実施の形態に限定されるものではなく、その要旨を逸脱しない範囲で種々変更可能であることはいうまでもない。たとえば、ユーザ端末は、スマートフォン以外にも、ノート型ＰＣや、タブレット端末等の様々な形態のユーザ端末を全て含むものである。
【０１５５】
また、上記した実施の形態は本発明を分かりやすく説明するために詳細に説明したものであり、必ずしも説明した全ての構成を備えるものに限定されるものではない。また、ある実施の形態の構成の一部を他の実施の形態の構成に置き換えることが可能であり、また、ある実施の形態の構成に他の実施の形態の構成を加えることも可能である。また、各実施の形態の構成の一部について、他の構成の追加、削除、置換しても良い。
【０１５６】
また、上記の各構成、機能、処理部は、それらの一部又は全部を、ハードウェア（例えば、集積回路）で実現してもよい。また、上記の各構成、機能、処理部は、プロセッサがそれぞれの機能を実現するプログラムを解釈し、実行するネットワーク経由もしくはディスク等記憶媒体によるインストール型のソフトウェア、また、ＡＳＰなどのネットワーク型アプリケーションで実現してもよい。各機能を実現するプログラム、テーブル、ファイル等の情報は、メモリや、ハードディスク、ＳＳＤ（ＳｏｌｉｄＳｔａｔｅＤｒｉｖｅ）等の記録装置、または、ＩＣカード、ＳＤカード、ＤＶＤ等の記録媒体に置くことができる。
【符号の説明】
【０１５７】
１００    ユーザ端末
１１０    生産者端末
１２０    管理サーバ
１３０    ユーザ情報記憶部
１３１    生産者情報記憶部
１３２    ウイスキー情報記憶部
１３３    検索結果画面記憶部
１３４    購入画面記憶部
１４０    価格算出部
１５０    検索部
１６０    検索結果画面生成部
１７０    検索結果画面提供部
１８０    購入画面生成部
１９０    購入画面提供部
７００    ウイスキー樽
１０００  検索結果画面
１３００  購入画面
【要約】      （修正有）【課題】ウイスキーの熟成を早めるための加工度に応じて価格を算出し、その価格をブロックチェーンに含め証券化するウイスキー販売システムにおける管理サーバを提供する。【解決手段】管理サーバ１２０は、価格算出部１４０と、検索部１５０と、を備える。価格算出部１４０は、生産者情報を生産者情報記憶部１３１から取得し、生産者情報に含まれるウイスキー情報から樽年数と熟成度との少なくともいずれか一方を抽出し、熟成度と熟成度を樽年数で除算して得る加工係数と、所定の単位価格および追加価格とに基づいて価格を算出する。検索部１５０は、希望データを含むユーザ情報と、ウイスキー情報を含む生産者情報を取得し、所定の数の生産者を評価スコアの高い順に絞り込み、絞り込んだ生産者についてのウイスキー情報を取得し、希望データの希望品種と同一の品種であるウイスキーを抽出し、希望データを構成する条件が一致する個別データを選定する。【選択図】図１【図１】
0006930768.tif 000002
【図２】
0006930768.tif 000003
【図３】
0006930768.tif 000004
【図４】
0006930768.tif 000005
【図５】
0006930768.tif 000006
【図６】
0006930768.tif 000007
【図７】
0006930768.tif 000008
【図８】
0006930768.tif 000009
【図９】
0006930768.tif 000010
【図１０】
0006930768.tif 000011
【図１１】
0006930768.tif 000012
【図１２】
0006930768.tif 000013
【図１３】
0006930768.tif 000014
【図１４】
0006930768.tif 000015
【図１５】
0006930768.tif 000016